(57)【要約】【課題】中空の防漏壁の起立性及びクロッチ部側縁部の被覆性に優れ、漏れ防止性や衣類の防汚性に優れた吸収性物品を提供すること。【解決手段】本発明の生理用ナプキン１は、表面シート２、裏面シート３及び吸収体４を有する吸収性本体５と、吸収性本体５の長手方向両側部５ａに伸縮性シート６を接合して形成された中空のループ状の防漏壁７と、吸収性本体５の左右両側から延出するウイング部８とを備え、実質的に縦長である。伸縮性シート６は、ナプキン１の長手方向におけるウイング部８を有する領域である排泄部領域に、吸収体４の肌当接面４ｕ側に固定された第１固定部６ａ、吸収体４の非肌当接面４ｄ側に固定された第２固定部６ｂ、及び吸収体４の長手方向の側縁４ａよりも幅方向の外方においてウイング部形成基材８２に接合された第３固定部６ｃを有し、第２及び第３固定部６ｂ，６ｃ間に非固定部６ｄを有する。【選択図】図２
2010042059.tif 000002
【特許請求の範囲】
【請求項１】
肌当接面側に表面シート、非肌当接面側に裏面シート及び両シート間に吸収体を有する吸収性本体と、該吸収性本体の長手方向両側部それぞれに伸縮性シートを接合して形成された中空のループ状の防漏壁と、該吸収性本体の左右両側から延出するウイング部とを備えた縦長の吸収性物品であって、
前記伸縮性シートは、吸収性物品の長手方向における前記ウイング部を有する領域である排泄部領域に、前記吸収体の肌当接面側に固定された第１固定部と、該吸収体の非肌当接面側に固定された第２固定部、及び該吸収体の長手方向の側縁よりも吸収性物品の幅方向の外方においてウイング部形成基材に接合された第３固定部を有し、第２固定部と第３固定部との間に他の部材に接合されていない非固定部を有している吸収性物品。
【請求項２】
前記排泄部領域に、吸収性物品の長手方向に沿って延びる一対の防漏溝を有しており、前記第２固定部は、前記吸収性物品の幅方向において、該各防漏溝より外方に形成されている、請求項１記載の吸収性物品。
【請求項３】
前記第３固定部は、前記ウイング部をショーツのクロッチ部の側縁に沿って折り返す際の折り返し線上に形成されている、請求項１又は２記載の吸収性物品。
【請求項４】
前記伸縮性シートは、前記第１固定部と第３固定部との間の長さが２０〜８０ｍｍである請求項１〜３の何れかに記載の吸収性物品。
【請求項５】
前記防漏壁は、ウイング部から頂部までの高さが５〜４０ｍｍである、請求項１〜４の何れかに記載の吸収性物品。
【発明の詳細な説明】
【技術分野】
【０００１】
本発明は、生理用ナプキンや失禁パッド等の吸収性物品に関する。
【背景技術】
【０００２】
従来、着用中の経血等の体液が幅方向に移動して側縁部から漏れてしまう横漏れを防止するため、長手方向両側縁部それぞれに防漏壁を設けた生理用ナプキンが知られている。
また、防漏壁の着用者へのフィット性を高める為に、中空のループ形状の防漏壁が知られている。例えば、引用文献１には、フィット性が高く、着用者の足の動き等の左右からの応力がかかった場合においても、中空のループ形状で緩衝し、生理用ナプキンにヨレを発生させず、漏れ防止性の高い中空のループ形状の防漏壁を備えた生理用ナプキンが開示されている。
【０００３】
近年、特に夜用の生理用ナプキンにおいて、生理用ナプキンの長さが長くなる傾向にあり、生理用ナプキンの長さと共に、防漏壁も長くなっている。防漏壁が長くなると、前後方向からの液漏れが生じにくくなる一方、着用者の体液排泄部に当接される排泄部領域における横漏れが相対的に起こりやすくなる。また、防漏壁が長くなると、排泄部領域における中空の防漏壁の起立性が低下する。
【０００４】
【特許文献１】特開平１１−２９９８２１号公報
【発明の開示】
【発明が解決しようとする課題】
【０００５】
従って、本発明の目的は、中空の防漏壁の起立性及びクロッチ部側縁部の被覆性に優れ、漏れ防止性や衣類の防汚性に優れた吸収性物品を提供することにある。
【課題を解決するための手段】
【０００６】
本発明は、肌当接面側に表面シート、非肌当接面側に裏面シート及び両シート間に吸収体を有する吸収性本体と、該吸収性本体の長手方向両側部それぞれに伸縮性シートを接合して形成された中空のループ状の防漏壁と、該吸収性本体の左右両側から延出するウイング部とを備えた実質的に縦長の吸収性物品であって、前記伸縮性シートは、吸収性物品の長手方向における前記ウイング部を有する領域である排泄部領域に、前記吸収体の肌当接面側に固定された第１固定部、該吸収体の非肌当接面側に固定された第２固定部、及び該吸収体の長手方向の側縁よりも吸収性物品の幅方向の外方においてウイング部形成基材に接合された第３固定部を有し、第２固定部と第３固定部との間に他の部材に接合されていない非固定部を有している吸収性物品を提供することにより前記目的を達成したものである。
【発明の効果】
【０００７】
本発明の吸収性物品は、中空の防漏壁の起立性及びクロッチ部側縁部の被覆性に優れ、漏れ防止性や衣類の防汚性に優れている。
【発明を実施するための最良の形態】
【０００８】
以下、本発明をその好ましい実施形態に基づいて説明する。
本実施形態の生理用ナプキン１は、図１に示すように、生理用ナプキン１の長手方向に延びる中心線ＣＬに対して左右対称に形成されている。従って、以下には、主として生理用ナプキン１の図１中左側の構成について詳述し、右側の構成については、適宜説明を省略する。左側の構成要素に対応する右側の構成要素には、符号にダッシュ（’）を付してある。
【０００９】
本実施形態の吸収性物品（生理用ナプキン）１は、図１及び図２に示すように、表面シート２、裏面シート３及び両シート２，３間に位置する吸収体４を有する吸収性本体５と、吸収性本体５の長手方向両側部５ａ，５ａ’それぞれに伸縮性シート６，６’を接合して形成された中空のループ状の防漏壁７，７’と、吸収性本体５の左右両側から延出するウイング部８，８’とを備えており、実質的に縦長である。
伸縮性シート６，６’それぞれは、吸収性物品（生理用ナプキン）１の長手方向におけるウイング部８，８’を有する領域である排泄部領域Ａに、吸収体４の肌当接面４ｕ側に固定された第１固定部６ａ、該吸収体４の非肌当接面４ｄ側に固定された第２固定部６ｂ、及び該吸収体４の長手方向の側縁４ａよりも吸収性物品の幅方向の外方においてウイング部形成基材８２に接合された第３固定部６ｃを有しており、第２固定部６ｂと第３固定部６ｃとの間に他の部材に接合されていない非固定部６ｄを有している。
【００１０】
本実施形態の生理用ナプキン１について更に詳述する。
生理用ナプキン１は、図２に示すように、液透過性の表面シート２、液不透過性又は撥水性の裏面シート３、及び該両シート間２，３に位置する吸収体４を有する縦長の吸収性本体５を有している。吸収体４とその肌側の面を被覆する表面シート２との間は、図示しない接着剤及び防漏溝９によって接合されている。また、吸収体４と裏面シート３との間は、ナプキン１の幅方向中央領域において接着剤７４によって接合されている。
生理用ナプキン１は、実質的に縦長の形状を有している。実質的に縦長の形状は、ウイング部を除いた部分が縦長であれば良い。
生理用ナプキン１は、その長手方向における中央部よりやや前寄りの位置に一対のウイング部８，８’を有している。ウイング部８，８’それぞれの裏面には、該ウイング部８，８’を、ショーツのクロッチ部の非肌対向面に固定するための、粘着部８１が形成されている。
本発明における「排泄部領域」は、図１に示すように、吸収性物品（生理用ナプキン１）の長手方向においてウイング部８，８’を有する領域Ａが好ましい。排泄部領域Ａにおけるナプキン１の幅方向中央部には、着用者の液排泄部（膣口等）が通常対向配置される。
【００１１】
次いで、生理用ナプキン１の防漏壁７，７’について説明する。
生理用ナプキン１においては、図１，図２及び図４に示すように、帯状の伸縮性シート６が、吸収性本体５の長手方向（ＣＬ方向）の側部５ａに、長手方向に沿って、配設及び固定されており、伸縮性シート６の収縮により、肌当接面側に凸の中空のループ状の防漏壁７が形成されるようになされている。
【００１２】
生理用ナプキン１に用いた伸縮性シート６は、図２及び図４に示すように、実質的に非伸長性の２枚のシート６１，６２が、両者間に複数本の弾性部材６３を伸長状態で挟んだ状態で、ホットメルト型接着剤等の接着剤を介して貼り合わされてなる複合シートである。２枚のシート６１，６２は、同形同大である。２枚のシート６１，６２は、少なくとも肌に当接する外側のシート６１が不織布からなることが好ましく、何れか一方又は両方が撥水性又は液不透過性であることが好ましい。
【００１３】
排泄部領域Ａにおける伸縮性シート６の接合状態について説明する。
排泄部領域Ａにおける伸縮性シート６は、図２に示すように、長手方向の一側縁６ｅから所定幅の部分が、図示しない接着剤を介して吸収体４の肌当接面側に接合されている。より具体的には、吸収体４の肌当接面側の面を被覆する表面シート２上に接合されている。この吸収体４の肌当接面側に接合された所定幅の部分が第１固定部６ａである。
また、排泄部領域Ａにおける伸縮性シート６は、長手方向の他側縁６ｆ近傍の所定幅の部分が、接着剤６４を介して、吸収体４の肌当接面側に接合されている。より具体的には、吸収体４の非肌当接面側の面に接合されている。この吸収体４の肌当接面側に接合された所定幅の部分が第２固定部６ｂである。
更に、排泄部領域Ａにおける伸縮性シート６は、吸収体４の長手方向の側縁４ａよりもナプキン１の幅方向の外方において、所定幅の部分が、接着剤６５を介して、ウイング部形成基材８２に接合されている。このウイング部形成基材８２に接合された所定幅の部分が第３固定部６ｃである。
【００１４】
ウイング部形成基材８２は、ウイング部８を構成するシート材８３，３ａ、又は排泄部領域Ａ内において該シート材８３，３ａに連続するシート材である。
本実施形態の生理用ナプキン１においては、図２に示すように、ウイング部８が、裏面シート３の、吸収体４の側縁４ａより延出した部分３ａと、該部分３ａに積層され層間が接合された不織布製シート８３からなり、該不織布製シート８３における、吸収体４の側縁４ａより外方に位置し且つ排泄部領域Ａに位置する部分（図３中の斜線部）がウイング部形成基材８２である。
【００１５】
生理用ナプキン１を、ショーツのクロッチ部に固定する際には、図５に示すように、ウイング部８（８’）を、ショーツのクロッチ部Ｃの側縁部Ｃ１に沿って折り返してクロッチ部の非肌対向面に固定するが、伸縮性シート６の第３接合部６ｃは、そのようにウイング部８（８’）を折り返す際の折り返し線８４（図３参照）よりも吸収体側縁４ａ側に形成されていても良い。また、ウイング部８（８’）の延出方向の先端側のみに、不織布製シート８３が積層されており、裏面シート３の、該不織布製シート８３に被覆されていない部分に、伸縮性シート６が接合されて第３接合部６ｃが形成されていても良い。
【００１６】
伸縮性シート６の第３固定部６ｃは、ウイング部８（８’）をショーツのクロッチ部の側縁に沿って折り返す際の折り返し線８４（図３参照）上に形成されていることが、クロッチ部の側縁を中空の防漏壁７の一部で被覆させる観点から好ましい。折り返し線８４（図３参照）上に形成されているとは、排泄部領域Ａの少なくとも一部において、第３固定部６ｃが、折り返し線８４上に位置していれば良い。
【００１７】
ウイング部は、股間部で排泄部位に向かって内側に凸の曲線を有しているショーツのクロッチ部の側縁部Ｃ１と、ウイング部８の立ち上がり起点Ｐ１，Ｐ２を通り且つナプキン幅方向に延びる２本の直線ａ１，ａ２とが交わる点ａ１’,ａ２’を結ぶほぼ直線８４で折り返されるため、第３固定部６ｃが折り返し線上に位置するか否かは、前記点ａ１’,ａ２’を結ぶ線８４上にあるか否かで判断できる。ウイングを有する生理用ナプキンにおいては、ウイングの折り返し部はショーツへの装着を容易にするために吸収体より曲げ剛性が低くなるように設計されているため、吸収体側縁部より外側で折り返されるか、ウイング基材が吸収体の下面に配置、延出され、吸収体とは独立したウイングになっている場合は、第２固定点６ｂより外側で折り返される。折り返されるウイング基材は違和感とならないために、吸収体側縁からウイングの前後立ち上がり起点位置までの距離が５〜１５ｍｍ程度で設計されている。ショーツクロッチは股間部で排泄部位に向かって内側に凸の曲線を有しているため、ウイングの立ち上がり起点Ｐ１，Ｐ２点間がショーツクロッチ長さより短ければ、起点位置Ｐ１、Ｐ２よりも吸収体側縁側で折り返される。
【００１８】
ウイング部の立ち上がり起点Ｐ１，Ｐ２の場所が不明確な場合は、図３に示すように、製品幅方向に延びる台形状のウイング部の斜辺Ｌ１，Ｌ２とウイング部を挟んだ製品側縁部の前後を結ぶ線Ｌ３との交点より、Ｐ１は後方へ、Ｐ２は前方へそれぞれ２ｍｍずらした点とする。
【００１９】
排泄部領域Ａにおける伸縮性シート６は、図２に示すように、その幅方向における、第第２固定部６ｂと第３固定部６ｃとの間に、他の部材に接合されていない非固定部６ｄを有している。
第１〜第３固定部６ａ，６ｂ，６ｃそれぞれの接合方法としては、接着剤に代えて、ヒートシールや高周波シール等の各種公知の接合手段を用いることもできる。また、第１〜第３固定部６ａ〜６ｃそれぞれの幅は、０．５〜１０ｍｍであることが好ましい。
【００２０】
伸縮性シート６における弾性部材６３は、図１に示すように、排泄部領域Ａの全長よりも長い長さに亘って配されており、伸縮性シート６は、少なくとも排泄部領域Ａにおいて、長手方向の伸縮性を発現する。他方、伸縮性シート６は、生理用ナプキン１の前後端部近傍に弾性部材６３が配されていない領域を有し、生理用ナプキン１の前後端に存するエンドシール部１１においては、該伸縮性シート６を構成する２枚のシート６１，６２が、ヒートエンボス加工により、表面シート２や裏面シート３等と一体化されている。
伸縮性シート６は、弾性部材６３が長手方向に収縮することによって、第１固定部６ａと第３固定部６ｃとの間が、図２に示すように、断面略円形のループ状をなして起立し、それによって、排泄部領域Ａに、断面が上方に向けて凸の円弧状をなし、内部に空洞が形成された中空の防漏壁７が形成される。
【００２１】
本実施形態の生理用ナプキン１は、従来のウイング部付きの生理用ナプキンと同様にして、ショーツ等の下着のクロッチ部Ｃに固定して使用することができる。即ち、生理用ナプキン１を装着する際には、ウイング部８，８’を、左右に引っ張りつつクロッチ部Ｃの側縁に沿って折り曲げ、その折り曲げたウイング部８，８’を、クロッチ部Ｃの非肌対向面に粘着部８１を介して固定する。クロッチ部の非肌対向面には、クロッチ部を外布とその肌側に配した内布との２重構造としたときの、内布の外面（外布側の面）も含まれる。
【００２２】
本実施形態の生理用ナプキン１においては、伸縮性シート６が上述した第３固定部６ｃを有するため、その装着の際に、図５に示すように、中空の防漏壁７が、クロッチ部Ｃの幅方向にも延伸されながら装着される。これにより、ショーツクロッチ側縁が防漏壁７により包み込まれるように装着される。従って、横漏れ防止効果が向上する。
更に、伸縮性シート６が、非固定部６ｄを介して離間した第３固定部６ｃ及び第２固定部６ｂとで固定されているため、伸縮性シート６の長手方向の伸縮が安定化し、防漏壁７が、ループ状をなして肌側に向かって起立した形状を維持し易くなる。
尚、第３固定部６ｃがない場合には、伸縮性シート６の伸縮領域端縁がネックインし、前後の収縮応力が分散する。即ち、防漏壁７の製品側縁側の壁部を起立させる力が低下し、防漏壁７の中空形状が製品幅方向に安定的な形状を保てず、上方に吊り上げられたような形状になりやすい。その結果、防漏壁７が装着時の動きによって内側に倒れ込み漏れが発生しやすくなる可能性がある。
【００２３】
また、中空の防漏壁7の第３固定部６ｃ付近での収縮力により非固定部６ｄは製品前後方向のたわみ領域となる。第３固定部６ｃと第２固定部６ｂの間でこのようなたわみ領域を有することにより非固定部６ｄが可撓軸となり、ウイングはショーツへ巻き込まれ易く、取り着け易くなる。
これらにより、中空の防漏壁の肌に対する良好なフィット性を維持しつつ、クロッチ部側縁部の被覆性を向上させることができ、優れた漏れ防止性や衣類の防汚性が得られる。
【００２４】
本実施形態の生理用ナプキン１は、図１に示すように、排泄部領域Ａに、生理用ナプキン１の長手方向に沿って延びる一対の防漏溝９，９’を有している。図２に示すように、前述した第２固定部６ｂは、生理用ナプキン１の幅方向において、該各防漏壁９，９’よりも外方に形成されている。そのため、防漏溝９によって、ウイングをショーツに巻き込んで装着される時に防漏溝９を可撓軸として吸収体側縁部は、非肌面側に曲げられる。その結果、吸収体と連動する第２固定部６ｂにより防漏壁７の非肌面側の端縁は吸収体内方へ引っ張られ、防漏壁７は、よりショーツを包み込み易く変形する。
尚、防漏溝９，９’は、エンボス加工によって形成されている。
【００２５】
伸縮性シート６は、肌に対するフィット性やクロッチ部側縁部の被覆性に優れた中空ループ状の防漏壁７を形成させる観点から、第１固定部６ａと第３固定部６ｃとの間の長さＷ１（伸縮性シートに沿って測定した伸縮性シート幅方向の長さ，図２参照）が、２０〜８０ｍｍであることが好ましく、３５〜５５ｍｍであることがより好ましい。
また、伸縮性シート６は、防漏壁の起立性と装着時のフィット性の観点から、第２固定部６ｂと第３固定部６ｃとの間の長さＷ２（伸縮性シートに沿って測定した伸縮性シート幅方向の長さ，図２参照）が、３〜４０ｍｍであることが好ましく、５〜２５ｍｍであることがより好ましい。
また、前記長さＷ１と前記長さＷ２との比（Ｗ１／Ｗ２）は、１５〜１、特に７〜１であることが好ましい。
【００２６】
また、防漏壁７は、装着時に身体にフィットし、壁部が極端に倒れたり、つぶれたりしないという観点から、ウイング部８から頂部までの高さＨ１（図２参照）が５〜４０ｍｍであることが好ましく、７〜２０ｍｍであることがより好ましい。
また、防漏壁７は、同様の観点から、吸液面から防漏壁７の頂部までの高さＨ２（図２参照）が３〜３５ｍｍであることが好ましく、５〜２５ｍｍであることがより好ましい。
前記高さＨ１及び前記高さＨ２は、それぞれ、自然状態の生理用ナプキン１において測定する。
【００２７】
本実施形態の生理用ナプキン１における防漏壁７，７’は、図１に示すように、長手方向における弾性部材６３が固定されている領域（弾性領域）の両端部それぞれの近傍に、折畳み固定部７ａ１，７ａ２，７ａ１’，７ａ２’を有している。
折畳み固定部７ａ１，７ａ２，７ａ１’，７ａ２’それぞれは、図４に示すように、内側折込み部７１及び／又は外側折込み部７２を有している。
内側折込み部７１は、ループ状の防漏壁７の一部を、生理用ナプキン１の幅方向（長手方向中心線ＣＬと直交方向）の内側ｄから防漏壁７の内方に折畳んで形成されており、外側折込み部７２は、ループ状の防漏壁７の一部を、生理用ナプキン１の幅方向の外側ｅから防漏壁７の内方に折畳んで形成されている。内側折込み部７１において相対向するシート６１の表面同士は接合されており、外側折込み部７２についても同様である。これらの接合には、接着剤７３やヒートシール等の各種公知の接合手段を用いることができる。
排泄部領域Ａの前方及び／又は後方、好ましくは前後両方に、このような折畳み固定部７ａ１，７ａ２，７ａ１’，７ａ２’を有することで、排泄部領域Ａにおける防漏壁７が、肌側に向かって凸の凸曲面状の形態を維持し易くなる。
【００２８】
本実施形態の生理用ナプキン１の形成材料について説明する。
上記表面シート２、上記裏面シート３及び上記吸収体４としては、生理用ナプキン等の吸収性物品に従来用いられているもの等を、特に制限なく用いることができる。例えば、吸収体４としては、パルプ等の繊維材料の繊維集合体又はこれに高吸収性ポリマーを担持させたものを、ティッシュペーパーや透水性の不織布等の被覆材で包んでなるもの等を用いることができる。
【００２９】
生理用ナプキン１においては、上述したように、防漏壁形成用の伸縮性シート６として、実質的に非伸長性の２枚のシート６１，６２間に複数本の弾性部材６３を伸長状態で固定してなる複合シートを用いたが、本発明における伸縮性シートとしては、これに代えて、多種多様な伸縮性シートを用いることができる。即ち、本発明における伸縮性シートは、シート状であり、伸縮性を有するものであれば特に限定されない。但し、防漏効果の点から、液難透過性であることが好ましい。ここでいう液難透過性には、液不透過性も含まれる。
【００３０】
伸縮性シートとして用い得るシート材料としては、伸縮性のフィルム、不織布、織物またはそれらの積層シート等が挙げられる。具体的には、天然ゴム、ポリウレタン、ポリスチレン−ポリイソプレン共重合体、ポリスチレン−ポリブタジエン共重合体、アクリル酸エチル−エチレン等のポリエチレン−αオレフィン共重合体等からなる材自体が伸縮性を有する材料（フィルム、糸状物、不織布、織物）やこれら伸縮性の材料（弾性部材）と不織布等の積層物等が挙げられる。上記伸縮性フィルムは、表面シートよりも肌当接面側に使用する場合には、肌触りを良好にする為、及びヒートシール性や接着剤による固定性を向上する為に、ポリエチレン／ポリエステル、ポリエチレン／ポリプロピレン、ポリプロピレンからなる熱可塑性不織布と積層し、積層材として用いることが好ましい。この様な熱可塑性不織布は、不織布自身が伸縮性を有する様に、クリンプ加工した繊維を用いることが好ましく、伸び難いクリンプ加工していない不織布を積層する場合においては、積層する前にあらかじめ弾性部材のみを所定の伸張率まで伸張し、不織布材料とホットメルトやヒートシール等によって接着し、伸縮性を発現するシート材料とする様に作成してもよい。
【００３１】
また、伸縮性シートの伸縮挙動はどの部分でも同じである必要は無く、防漏壁の形状安定性や他の構成材料との複合化の観点から、伸張性を異ならせたり伸縮性のない部分を形成することが好ましい。例えば、第１固定部より上方に位置する部分には伸縮性を付与する一方、それより下方に位置する部分には、伸縮性を付与せず、伸縮性を有しない部分を接合して第２及び第３接合部とすることもできる。
また、第２固定部と第３固定部との間に、これら両固定部から離間させた第４固定部を設けても良い。
【００３２】
本発明は、上記実施形態に制限されず、種々の変更が可能である。
例えば、上記生理用ナプキン１においては、伸縮性シート６の第１固定部６ａは、長手方向の一側縁６ｅから所定幅の部分を、図２に示すように、ナプキン１の幅方向の外方に向かうように折り曲げた状態で、固定して形成されていたが、これに代えて、ナプキン１の幅方向の内方に向かうように折り曲げた状態で、固定して形成されていても良い。
また、上記生理用ナプキン１においては、第１固定部６ａは、吸収体４の肌当接面側の面を被覆する表面シート２上に接合されていたが、これに代えて、吸収体４の肌当接面側の面に直接接合されていても良い。また、折畳み固定部７ａ１，７ａ２，７ａ１’，７ａ２’は、それらの一部又は全部を省略することもできる。また、内側折込み部７１及び外側折込み部７２に何れか一方のみを設けることもできる。
【００３３】
また、本発明の吸収性物品は、生理用ナプキン以外の吸収性物品であっても良く、例えば、失禁パッド、パンティライナー（下り物シート）等であっても良い。
【図面の簡単な説明】
【００３４】
【図１】本発明の一実施形態である生理用ナプキンを示す斜視図である。
【図２】図１に示す生理用ナプキンのＸ１−Ｘ１線断面図である。
【図３】ウイング部形成基材を説明するための説明図である。
【図４】図１に示す生理用ナプキンのＸ２−Ｘ２線断面図である。
【図５】図１に示す生理用ナプキンの使用状態における排泄部領域の側部断面を示す模式図である。
【符号の説明】
【００３５】
１  生理用ナプキン
２  表面シート
３  裏面シート
４  吸収体
５  吸収性本体
６，６’  伸縮性シート
６１，６２  伸縮性シートを構成するシート
６３  伸縮性シートを構成する弾性部材
６ａ  第１固定部
６ｂ  第２固定部
６ｃ  第３固定部
６ｄ  非固定部
７，７’  防漏壁
７ａ１，７ａ２，７ａ１’，７ａ２’  折畳み固定部
７１  内側折込み部
７２  外側折込み部
８，８’  ウイング部
８２  ウイング部形成基材
９，９’  防漏溝
Ａ  排泄部領域
ＣＬ  生理用ナプキンの長手方向に延びる中心線
【図１】
2010042059.tif 000003
【図２】
2010042059.tif 000004
【図３】
2010042059.tif 000005
【図４】
2010042059.tif 000006
【図５】
2010042059.tif 000007